(57)【特許請求の範囲】
【請求項１】
光ディスクを回転させるターンテーブルを有するスピンドルモータと、
光ディスクにアクセスする基台を有する光ピックアップと、
前記光ピックアップを光ディスクのトラック方向に移動させるための駆動力を与えるトラバースモータと、
前記トラバースモータの駆動力によって回転するリードシャフトと、
前記スピンドルモータ、トラバースモータを保持するシャーシと、
前記リードシャフトと係合する突起状係合部が形成された第一の部分と、前記光ピックアップの基台に結合され、第一の部分とはトラック方向に所定の距離を有して規制壁を形成した第二の部分と、前記第一、第二の部分間を支持する第三の部分とを有するラック部材と、
前記ラック部材の第一の部分を押圧し、リードシャフトの溝に突起状係合部を押し当てる押圧部材とを備え、
前記ラック部材の第一の部分は、前記光ピックアップの送り方向に可撓性を有し、前記光ピックアップが、終端に送られた後に、リードシャフトの回転により、ラック部材の第一の部分がトラック方向に移動した後、前記第一の部分が前記第二の部分の規制壁に当接し、その位置で前記ラック部材の第一の部分の突起状係合部が、リードシャフトの溝から外れないように規制するストッパーリブが前記ラック部材の第一の部分の突起状係合部の反対側に設けられており、
前記光ピックアップの可動範囲には、前記ラック部材の第一の部分の突起状係合部がリードシャフトの溝から外れないように規制する部材が設けられていないことを特徴とする、
光ディスク装置。
【請求項２】
ストッパーリブは、シャーシに形成されたことを特徴とする請求項１の光ディスク装置。
【請求項３】
トラバースモータは、リードシャフトを保持するブラケットを有し、前記ブラケットに、ストッパーリブを有する部材が保持されていることを特徴とした請求項１の光ディスク装置。
【発明の詳細な説明】
【技術分野】
【０００１】
本発明はディスクに対して情報の記録や再生を行うことができる光ディスク装置に関するものである。
【背景技術】
【０００２】
近年、光ディスクを記録媒体として光ピックアップにより読み取り再生する光ディスク装置において、低価格化、小型化、高性能化が進んでおり、ＣＤプレーヤーおよび記録型および再生型のＤＶＤプレーヤーが一般的に普及している。
【０００３】
以下、従来の光ディスク装置について、特願平８−２８１９７４、特願２００５−７９７３４のものが開示されている。以下従来の光ディスク装置を一例として説明する。
【０００４】
図１４〜図１７は従来の光ディスク装置である。図１４は、表から見た光ディスク装置全体の斜視図、図１５は、裏から見た同斜視図、図１６は、構成部品の分解斜視図、図１７は、構成部品の部分断面図である。
【０００５】
図１３〜図１７において６１はシャーシ６２に固定され光ディスク（図示せず）を回転させるスピンドルモータ、６０は光ディスクを載置するターンテーブルで、スピンドルモータ６１と一体化されている。５１は光ディスクから情報を抽出する光ピックアップ、５６は光ピックアップ５１を移動させるための駆動力を与えるトラバースモータ、５７はトラバースモータ５６の駆動力によって回転するリードシャフト、５３はリードシャフト５７の送り溝５７ａと係合する突起状係合部５３ａを有するラック部材、５４はラック部材５３がリードシャフト５７から離脱するのを防ぐための押さえばねで、ラック部材５３に付けられている。ラック部材５３はビス５５によって光ピックアップ５１と固定されている。シャーシ６２に固定された主軸５８と副軸５９が光ピックアップ５１の両端を貫通している。５１ｄは、光ピックアップ５１の基台であり、その突起部５１ｅは、光ピックアップ５１が光ディスクの内周に送られて来たとき、フォトセンサー６３に入り、位置検出できるよう構成されている。
【０００６】
次に、リードシャフト５７の駆動力を光ピックアップ５１に伝えるラック部材５３と光ピックアップ５１の連結方法について説明する。まず光ピックアップ５１に設けられたボス５１ａ、５１ｂにラック部材５３の穴５３ａ、５３ｂがはめ込まれてナット板５３の位置決めを行う。同様にラック部材５３のボス５３ｄ、５３ｅに押さえばね５４をはめ込んで組立られる。次にラック部材５３に設けられた孔５３ｃにビス５５を貫通し、光ピックアップ５１のねじ穴５１ｃねじ込んでラック部材５３を光ピックアップ５１に固定する。また、ラック部材５３を押さえばね５４によってリードシャフト５７方向へ押すことによってリードシャフト５７の送り溝５７ａから突起状係合部５３ａが外れることなくリードシャフト５７の駆動力を光ピックアップ５１に伝える。ここで、ラック部材５３は金属製のリードシャフト５７と係合するため摩耗しにくい硬質な樹脂が用いられる。
【０００７】
以上のように構成された従来の光デッキについて、以下その動作について説明する。
最初に、ターンテーブル６０上に載せられた光ディスクはスピンドルモータ６１によって回転する。その位置で光ピックアップ５１はディスクの信号を読みとる。ディスクには、その情報が記録されたＶＴＯＣ（Ｖｏｌｕｍｅ  Ｔａｂｌｅ  ｏｆ  ｃｏｎｔｅｎｔｓ）領域が内周部にあり、その位置に光ピックアップがない場合、光ピックアップトラバースモータ５６の駆動力を伝えるリードシャフト５７と係合しているラック部材５３によって光ディスクの信号を読みとるための光ピックアップ５１は光ディスクの所定の内周方向へ移動する。そして、光ピックアップ５１の端面５１ｅがスイッチ６３の押仕込み片６３ａを押すと、その位置で光ピックアップ５１はディスクのＶＴＯＣ信号を読みとることで、そのディスク情報を認識し、再生動作を行うことができる。
【０００８】
また、図１７は、光ピックアップ５１が内周位置にきたときの部分断面図を示す。光ピックアップ５１は、フォトセンサー６３が光ピックアップ５１の突起部５１ｅで遮られることで感知し、トラバースモータ５６のリードシャフト５７の回転を停止する。この内周位置でラック部材５３の突起状係合部５３ａは、リードシャフト５７の送り溝５７ａとは係合状態で停止する。
【特許文献１】特許第３０３１２６４号公報
【特許文献２】特開２００６−２６０７２１号公報
【発明の開示】
【発明が解決しようとする課題】
【０００９】
上述したように、光ディスク装置においては、光ピックアップ５１の内周検出スイッチがあるため、光ピックアップ５１が内周位置に来たことを感知し、トラバースモータ５６のリードシャフト５７の回転を停止することができる。
【００１０】
ところが、コストダウンのため、フォトセンサー６３のような内周検出スイッチを廃止した場合、光ディスクが最初に電源を入れられた場合、光ピックアップ５１は、ディスクのＶＴＯＣ領域を読み込むため、回路的に、トラバースモータ５６のリードシャフト５７を一定時間回転させ、強制的にラック部材５３の突起状係合部５３ａを介して内周方向へ送る。この一定時間の設定は、光ピックアップ５１の位置が最外周位置にある場合でも最内周位置まで送られる時間の余裕をとっている。そのリードシャフト５７の回転は一定時間で設定されているため、最初の電源投入後、光ピックアップ５１が内周位置まで送られた後もリードシャフト５７の回転をしている時間がある。そのとき、トラバースモータ５６の回転力が強ければ、図１８のようにラック部材５３の突起状係合部５３ａは、リードシャフト５７の送り溝５７ａから外れる場合がある。このとき、突起状係合部５３ａが送り溝５７ａに入ったり出たりするため、騒音が発生し品位を損なう場合があった。または、この外れを防止するために、トラバースモータ５６の回転力を低く設定する必要があり、この場合は光ピックアップ５１を内周位置まで送るのに時間がかかり、この場合も操作性低下を発生させる。このため、内周検出のためのフォトセンサー６３を廃止することができなく、コストダウンを図ることができないという課題を有していた。
【００１１】
本発明は上記課題を解決するもので、内周検出のためのフォトセンサー等の検出手段が無くても光ピックアップが内周位置に送られた場合でも、トラバースモータのリードシャフトの送り溝からラック部材の突起状係合部が外れることのない光ディスク装置を提供することを目的とするものである。
【課題を解決するための手段】
【００１２】
上記課題を解決するために本発明の請求項１に係る光ディスク装置は、光ディスクを回転させるターンテーブルを有するスピンドルモータと、光ディスクにアクセスする基台を有する光ピックアップと、前記光ピックアップを光ディスクのトラック方向に移動させるための駆動力を与えるトラバースモータと、前記トラバースモータの駆動力によって回転するリードシャフトと、前記スピンドルモータ、トラバースモータを保持するシャーシと、前記リードシャフトと係合する突起状係合部が形成された第一の部分と、前記光ピックアップの基台に結合され、第一の部分とはトラック方向に所定の距離を有して壁を形成した第二の部分と、前記第一、第二の部分間を支持する第三の部分と、を有するラック部材と、前記ラック部材の第一の部分を押圧し、リードシャフトの溝から突起状係合部が外れないようにする押圧部材と、ラック部材の第一の部分は、前記光ピックアップの送り方向に可撓性を有し、前記光ピックアップが、終端に送られた後も、リードシャフトの回転により、ラック部材の第一の部分がトラック方向に移動した後、前記第一の部分が前記第二の部分の壁に当接し、その位置で前記ラック部材の第一の部分の突起状係合部が、リードシャフトの溝から外れないように規制するストッパーリブが前記ラック部材の第一の部分の突起状係合部の反対側に設けられているよう構成されたものである。
【００１３】
本発明の請求項２に係る光ディスク装置は、ストッパーリブは、シャーシに形成されたよう構成されたものである。
【００１４】
本発明の請求項３に係る光ディスク装置は、トラバースモータが、リードシャフトを保持するブラケットを有し、前記ブラケットに、別部材としてストッパーリブを有する部材が保持されているよう構成されたものである。
【発明の効果】
【００１５】
以上のように本発明によれば、光ピックアップの内周位置に送られたことを検知する検出スイッチを用いなくても、光ピックアップが内周位置に送られた後も、リードシャフトが回転しようとした時、リードシャフトの送り溝からラック部材の突起状係合部が送り溝から外れないため、リードシャフトは回転を止めることができ、従来発生する場合があった、ラック部材の突起状係合部とリードシャフトの送り溝との外れによる騒音の発生はなく、品位低下を防ぐことがきる。また、リードシャフトの回転も遅くすることもないため、操作性に低下も防ぐことができる。
【発明を実施するための最良の形態】
【００１６】
以下、本発明の実施の形態を図面に基づいて説明する。図１〜１１は第一の実施の形態における光ディスク装置を示している。図１は光ディスク装置の裏から見た組立斜視図、図２は図１の部分拡大図、図３は、別の角度から見た組立斜視図、図４（ａ）、（ｂ）は、構成部品の平面図と断面図、図５、は構成部品の分解斜視図、図６は、部分組立斜視図、図７は、部分平面組立図、図８（ａ）、（ｂ）は、部分組立平面図と、断面図、図９は、部分組立斜視図、図１０、図１１は、部分組立平面図である。
【００１７】
図１〜図５において、１はシャーシ、２はスピンドルモータであり、光ディスク（図示せず）を回転させるターンテーブル３を有しており、シャーシ１にモータビス４を介して固定している。５は、光ディスクから情報を抽出する光ピックアップであり、本体である基台５ａには、ビス穴５ｂ、ボス５ｃ、５ｄ、２つの主軸穴５ｅ、副軸ガイド５ｆを有している。また、従来例では、スピンドルモータ２の付近に内周検出のフォトセンサーが設けられていたが、本実施の形態では必要としない。
【００１８】
１３は主軸、１４は副軸であり、各々光ピックアップ５の主軸穴５ｅ、副軸ガイド５ｆとディスクのトラック方向に摺動可能な状態で光ピックアップ５を支持し、シャーシ１に固定されている。
【００１９】
６は光ピックアップ５を移動させるための駆動力を与えるトラバースモータであり、リードシャフト７、ブラケット８を有し（図１、図２には図示省略）、止めネジ９を介してシャーシ１に固定されている。リードシャフト７は送り溝７ａを有し、ラック部材１０の第二の部分１０ａにはビス穴１０ｅを有し、止めビス１１を介して、光ピックアップ５のビス穴５ｂにネジ締めされることにより、基台５ａに固定される。（図５）、また第二の部分１０ａには壁１０ｈが設けられている。
【００２０】
さらに、図４（ａ）および同図でＸ１−Ｘ１断面で示した図４（ｂ）、図５に示すように、ラック部材１０は、リードシャフト７の送り溝７ａに係合する突起状係合部１０ｄを有する第一の部分１０ｃと、前記第一の部分１０ｃと第二の部分１０ａの間にはＵ字状のバネ性を有する第三の部分１０ｂを有している。また、第二の部分１０ａのボス１０ｆと、第一の部分１０ｃのボス１０ｇの間に押圧部材である押さえばね１２が組み込まれている。この押さえばね１２によりラック部材１０の第二の部分１０ａから第一の部分１０ｃの方向に絶えず力を加え、第一の部分１０ｃの突起状係合部１０ｄリードシャフト７の送り溝７ａより外れることなくリードシャフト７の駆動力を光ピックアップ５に伝える。この押さえばね１２の力は０．３〜０．５Ｎくらいである。
【００２１】
シャーシ１には、ストッパーリブ１ａと、そのリブ１ａには、斜面１ｂとストッパー面１ｃと、光ピックアップ５の内周位置を規制するリブ１ｄを有している。
【００２２】
以上のように構成された光ディスク装置について、その動作を説明する。図６、図７、図１０は、光ピックアップ５がトラバースモータ６のリードシャフト７の回転により内周に送られ、基台５ａがシャーシ１のリブ１ｄに当たった時の図を示している。説明上、図６、図７は、構成部品の中で、トラバースモータ６のブラケット８を非表示にしている。また、図１０はシャーシ１の一部とターンテーブル３、ラック部材１０の表示のみで、他のトラバースモータ６のリードシャフト７、ブラケット８などは非表示にしている。
【００２３】
リードシャフト７の送り溝７ａにラック部材１０の第一の部分１０ｃの突起状係合部１０ｄが係合されている。ラック部材１０は第二の部分１０ｃ、第三の部分１０ｂ、第一の部分１０ａで構成され、一体であるため、リードシャフト７の回転により送り溝７ａに係合された突起状係合部１０ｄを移動すれば、ラック部材１０の第二の部分１０ａは遅れることなく同時に動くため、光ピックアップ５も同時に移動する。そのため、図７に示すようにラック部材１０の第一の部分１０ｃと第二の部分１０ａとの隙間Ｘ２は変化ない。
【００２４】
また、この位置まで光ピックアップ５がきたとき、ラック部材１０の第一の部分１０ｃは、シャーシ１のストッパーリブ１ａの斜面１ｂの位置となる。これは、光ピックアップ５内周位置に送られたとき、ラック部材１０の第二の部分１０ｃがリードシャフト７より離れていた場合、リードシャフト７の方向へ規制する役割を担っている。
【００２５】
この位置までトラバースモータ６の駆動力によりリードシャフト７が回転し、光ピックアップ５は送られるが、リードシャフト７の回転は、光ピックアップ５の移動が停止した後も一定時間の間回転する。その次の状態を図８、図９、図１１を用いて説明する。
【００２６】
説明上、図８、図９は、トラバースモータ６のブラケット８を非表示にしている。また、図１１はシャーシ１の一部とターンテーブル３、ラック部材１０の表示のみで、他のトラバースモータ６のリードシャフト７、ブラケット８などは非表示にしている。
【００２７】
光ピックアップ５が内周位置に移動した後も、リードシャフト７は回転する。そのため、送り溝７ａに係合している突起状係合部１０ｄが、図８（ａ）の矢印Ｐ方向へ移動する。これは、ラック部材１０の第三の部分１０ｂが弾性変形するためである。突起状係合部１０ｄが移動した後は、同ラック部材１０の壁１０ｈに当接して停止するため、図７で示した隙間Ｘ２はゼロとなる。図８（ａ）のＸ３−Ｘ３断面を図８（ｂ）に示すように、そのとき、突起状係合部１０ｄを有するラック部材１０の第二の部分１０ｃの後部にシャーシ１のストッパーリブ１ｂのストッパー面１ｃが当接し、矢印Ｑ方向へ移動できないよう規制する。このため、突起状係合部１０ｄがリードシャフト７の送り溝７ａに係合したままになるので、リードシャフト７は回転することができなくなる。その後一定時間はトラバースモータ６の回転力が働くが、リードシャフト７の送り溝７ａと突起状係合部１０ｄは係合したまま外れないので、騒音を発生することはない。また、シャーシ１のストッパーリブ１ｂの高さは、リードシャフト７の中心より寸法Ｘ４だけの距離があるため、ラック部材１０の第一の部分１０ｃとシャーシ１のストッパーリブ１ｂのストッパー面１ｃとの隙間関係においてストッパー面１ｃがリードシャフト７近くにずれてもラック部材１０の第二の部分１０ｃは矢印Ｒ方向へ回転するだけで、突起状係合部１０ｄと送り溝７ａとの係合量は変化せず、外れることはない。ここで、寸法Ｘ４は０以上の値であればその効果を得ることができる。さらに、シャーシ１のストッパーリブ１ａのストッパー面は、光ピックアップ５（ラック部材１０の第一の部分１０ｃ）の通常の送り範囲の外にあるため、従来例の図１８のように、落下衝撃などで送り溝７ａから突起状係合部１０ｄが外れても、ラック部材１０の第一の部分１０ｃは、シャーシ１のストッパーリブ１ａに当接や、乗り上げが発生しないため、ラック部材１０の第一の部分１０ｃおよび第三の部分１０ｂに乗り上げによる変形および、破損する恐れはない。
【００２８】
また、本実施例では、ラック部材１０がＵ字状のバネ性を有する第三の部分１０ｂを２つ設けているが、この数量に限定しなくても効果は得られる。また、Ｕ字状の形状に限定されることなく、光ピックアップの送り方向に可撓性を有するものであれば、例えば板状を有する形状であっても本効果を得られることは言うまでもない。
【００２９】
次に第二の実施の形態について図１２〜図１３を用いて説明する。図１２は、部分分解斜視図、図１３は、部分組立斜視図である。
【００３０】
ラック部材の構成については、第一の実施の形態と同じである。シャーシ１７には、第一の実施の形態のストッパーリブを有していない。別部材のピース１６にこのストッパーリブ１６ａと斜面１６ｂ、ストッパー面１６ｃと、溝１６ｄを有している。トラバースモータ１８のブラケット１９の曲げ部１９ａを有している。この曲げ部１９ａにピース１６の溝１６ｄを組み込むことで、第一の実施の形態と同様な効果を得ることができる。
【００３１】
また、ストッパーリブ１６ａは、ブラケット１６に対し位置を決めることができるので、リードシャフト７とストッパーリブ１６ａとの相対位置を精度よくきめることができるという特有の効果を有する。
【００３２】
また、光ピックアップ５が内周位置に来たときに突起状係合部が外れることのない構成を説明したが、外周位置にきたときに外れることのないように構成する方法もストッパーリブを外周位置に設けることで同様な効果が得られる。
【００３３】
また、実施の形態一および二においてストッパーリブをシャーシ１７、および別のピース１６で形成したが、代わりにトラバースモータのブラケットで形状を追加して形成しても同様な効果が得られる。
【産業上の利用可能性】
【００３４】
本発明にかかるハンドスキャナ光ディスク装置は、光ピックアップの内周検出手段が無くても課題が発生しないよう構成したものであるが、リードシャフトの溝と係合する突起状係合部により移動可能な構造をもつものであれば、光ピックアップに限らず、磁気ヘッドや、他の移動可能な構造体において、一端で動作を停止させる装置での用途にも適用できる。
【図面の簡単な説明】
【００３５】
【図１】本発明の第一の実施の形態における光ディスク装置の裏から見た組立斜視図
【図２】本発明の第一の実施の形態における光ディスク装置の裏から見た部分拡大斜視図
【図３】本発明の第一の実施の形態における光ディスク装置の裏から見た組立斜視図
【図４】本発明の第一の実施の形態における光ディスク装置の構成部品の（ａ）平面図と（ｂ）断面図
【図５】本発明の第一の実施の形態における光ディスク装置の構成部品の分解斜視図
【図６】本発明の第一の実施の形態における光ディスク装置の部分組立斜視図
【図７】本発明の第一の実施の形態における光ディスク装置の部分平面組立図
【図８】本発明の第一の実施の形態における光ディスク装置の（ａ）部分組立平面図、（ｂ）断面図
【図９】本発明の第一の実施の形態における光ディスク装置の部分組立斜視図
【図１０】本発明の第一の実施の形態における光ディスク装置の部分組立平面図
【図１１】本発明の第一の実施の形態における光ディスク装置の部分組立平面図
【図１２】本発明の第二の実施の形態における光ディスク装置の部分分解斜視図
【図１３】本発明の第二の実施の形態における光ディスク装置の部分組立斜視図
【図１４】従来例の表から見た光ディスク装置全体の組立斜視図
【図１５】従来例の裏から見た光ディスク装置全体の組立斜視図
【図１６】従来例の光ディスク装置の構成部品の分解斜視図
【図１７】従来例の光ディスク装置の構成部品の部分断面図
【図１８】従来例の光ディスク装置の構成部品の部分断面図
【符号の説明】
【００３６】
１，１７、６２    シャーシ
１ａ、ｂ、ｃ    シャーシのストッパーリブ、同斜面、同ストッパー面
１ｄ    シャーシのリブ
２、６１    スピンドルモータ
３、６２    ターンテーブル
５、５１    光ピックアップ
５ａ    光ピックアップの基台
６、１８、５６    トラバースモータ
７、５７    リードシャフト
７ａ    リードシャフトの送り溝
８、１９    ブラケット
１０、５３    ラック部材
１０ａ    ラック部材の第二の部分
１０ｂ    ラック部材の第三の部分
１１ｃ    ラック部材の第一の部分
１１ｄ    ラック部材の第一の部分の突起状係合部
１１ｈ    ラック部材の第二の部分の壁
１２    押さえばね
１３    主軸
１４    副軸
１６    ピース
１６ａ、ｂ、ｃ    ピースのストッパーリブ、同斜面、同ストッパー面
１６ｄ    ピースの溝
１９    ブラケットの曲げ部
【図１】
0005200484.tif 000002
【図２】
0005200484.tif 000003
【図３】
0005200484.tif 000004
【図４】
0005200484.tif 000005
【図５】
0005200484.tif 000006
【図６】
0005200484.tif 000007
【図７】
0005200484.tif 000008
【図８】
0005200484.tif 000009
【図９】
0005200484.tif 000010
【図１０】
0005200484.tif 000011
【図１１】
0005200484.tif 000012
【図１２】
0005200484.tif 000013
【図１３】
0005200484.tif 000014
【図１４】
0005200484.tif 000015
【図１５】
0005200484.tif 000016
【図１６】
0005200484.tif 000017
【図１７】
0005200484.tif 000018
【図１８】
0005200484.tif 000019